(57)【要約】      （修正有）【課題】ネットワークを利用した建築工事の出来高評価のためのプログラム、サーバ、およびシステムの提供。【解決手段】建築工事の実行予算データ１をクライアント端末から取得し、記憶手段２に格納するステップＳ１と、資材毎の単位作業時間データベース３により資材数量から作業時間を演算し、工事工程の日程に振り分けることにより作成される工程データ４を、ネットワークを通してクライアント端末から取得し、記憶手段２に格納するステップＳ２と、前記工程データ４の日程に振り分けられた資材に対して関連づけられた画像データ５を含む進捗データ６をクライアント端末から取得し、記憶手段２に格納し、該記憶手段２を検索して前記画像データ５に関連づけられた資材あるいは日程を工事完了として判別し、かつ、対応する資材の実行予算を工事完了として集計するステップＳ３とを実行させるためのプログラムを提供する。【選択図】  図１
2005293182.tif 000002
【特許請求の範囲】
【請求項１】
建築工事に使用される資材毎に対応する単位実行予算、および数量を含む実行予算データをネットワークを通してクライアント端末から取得し、記憶手段に格納するステップと、
資材毎の単位作業時間を格納する作業時間データベースを参照して資材数量から作業時間を演算し、工事工程の日程に振り分けることにより作成される工程データを、日程毎に振り分けられた資材が検索可能な形態で、ネットワークを通してクライアント端末から取得し、記憶手段に格納するステップと、
前記工程データの日程あるいは日程に振り分けられた資材に対して関連づけられた画像データを含む進捗データをネットワークを通してクライアント端末から取得し、記憶手段に格納するとともに、該記憶手段を検索して前記画像データに関連づけられた資材あるいは日程を工事完了として判別し、かつ、対応する資材の実行予算を工事完了として集計するステップとをコンピュータに実行させるためのプログラム。
【請求項２】
ネットワークを通してクライアント端末から取得され、建築工事に使用される資材毎に対応する単位実行予算、および数量を含む実行予算データと、
ネットワークを通してクライアント端末から取得され、資材毎の単位作業時間を格納する作業時間データベースを参照して資材数量から作業時間を演算し、工事工程の日程に振り分けることにより作成される工程データを、日程毎に振り分けられた資材が検索可能な形態で格納する工程データファイルと、
ネットワークを通してクライアント端末から工事工程の日程あるいは資材に対応した工事完了を示すものとして取得される画像データを格納する画像データファイルと、
前記画像データファイルの画像データをクライアント端末からの要求に基づいて、工程データファイルに格納される工程データの日程あるいは日程に振り分けられた資材に対して関連づける工程管理部と、
実行予算データを参照して前記画像データに対応する資材の実行予算を出来高として集計する出来高演算部とを有するサーバ。
【請求項３】
ネットワークを通して相互に交信が可能なクライアント端末と出来高管理サーバとを含み、
前記クライアント端末は、建築工事に使用される資材毎の単位実行予算および単位作業時間を格納する記憶手段と、
資材およびその数量を入力する入力手段と、
撮影操作により画像データを生成する撮影手段と、
前記入力手段からの入力に基づいて記憶手段の単位実行予算を参照して実行予算データを作成するとともに、単位作業時間を参照して集計される作業時間を工事工程の日程に振り分けることにより工程データを作成し、かつ、該実行予算データを資材毎に対応する単位実行予算が検索可能な形態で、該工程データを工事工程の日程あるいは日程に振り分けられた作業時間に対応する資材が検索可能な形態で、出来高管理サーバに送信する第１の手段と、
前記撮影手段により撮影される資材に対応した工事完了を示す画像データを、工程データの日程あるいは日程に振り分けられた作業時間に対応する資材に対して関連づけて出来高管理サーバに送信する第２の手段とを有し、
前記出来高管理サーバは、クライアント端末から受信する工程データの工事工程の日程あるいは日程に振り分けられた単位作業時間に対応する資材について、対応する実行予算が検索可能な形態で記憶する記憶手段と、
クライアント端末から受信する画像データを前記工程データの日程、あるいは日程に振り分けられた作業時間に対応する資材に関連づけて記憶手段に記憶させるとともに、該記憶手段を検索して画像データに関連づけられた資材に対応する実行予算を集計し、出来高として算出する手段とを有するシステム。
【発明の詳細な説明】
【技術分野】
【０００１】
本発明は、ネットワークを利用した建築工事の出来高評価のためのプログラム、サーバ、およびシステムに関するものである。
【背景技術】
【０００２】
従来、ネットワークを利用した建築工事の出来高評価のための技術としては、特許文献１に記載されたものが知られている。この従来例において、建築工事の出来高評価は、建築請負事業体および資材提供事業体によりオンラインで提供され、統括管理体のハード資源に格納される出来高の報告、例えばその工事がどの程度に完成したかの完成度、その工事が仕様通りであるか否か、その工事に使用された資材が計画通りであるか否か等に基づいて判断される。
【特許文献１】特開２００２-７３７３７号公報
【発明の開示】
【発明が解決しようとする課題】
【０００３】
しかしながら、上記従来例においては、建築工事の出来高評価が、建築請負事業体や資材提供事業体からの工事の完成度等の報告に基づいてなされるために、二者の出来高評価に関する理解や判断基準の違いなどにより統括管理体に報告される内容が不正確になりやすい、すなわち出来高評価に関する情報の客観性が低く、建築請負事業体の出来高の量や質について正当な評価がなされない場合があるという欠点がある。
【０００４】
本発明は、上記の欠点を解消すべくなされたものであって、出来高評価に関する情報の客観性が高く、建築を請け負う工務店等が出来高の量や質に関して正当な評価を受けることができるネットワークを利用した建築工事の出来高評価のためのプログラム、サーバ、およびシステムの提供を目的とする。
【課題を解決するための手段】
【０００５】
本発明によれば上記目的は、
建築工事に使用される資材毎に対応する単位実行予算、および数量を含む実行予算データ１をネットワークを通してクライアント端末から取得し、記憶手段２に格納するステップＳ１と、
資材毎の単位作業時間を格納する作業時間データベース３を参照して資材数量から作業時間を演算し、工事工程の日程に振り分けることにより作成される工程データ４を、日程毎に振り分けられた資材が検索可能な形態で、ネットワークを通してクライアント端末から取得し、記憶手段２に格納するステップＳ２と、
前記工程データ４の日程あるいは日程に振り分けられた資材に対して関連づけられた画像データ５を含む進捗データ６をネットワークを通してクライアント端末から取得し、記憶手段２に格納するとともに、該記憶手段２を検索して前記画像データ５に関連づけられた資材あるいは日程を工事完了として判別し、かつ、対応する資材の実行予算を工事完了として集計するステップＳ３とをコンピュータに実行させるためのプログラムを提供することにより達成される。
【０００６】
また、上記目的は、
ネットワークを通してクライアント端末から取得され、建築工事に使用される資材毎に対応する単位実行予算、および数量を含む実行予算データ１と、
ネットワークを通してクライアント端末から取得され、資材毎の単位作業時間を格納する作業時間データベース３を参照して資材数量から作業時間を演算し、工事工程の日程に振り分けることにより作成される工程データ４を、日程毎に振り分けられた資材が検索可能な形態で格納する工程データファイル７と、
ネットワークを通してクライアント端末から工事工程の日程あるいは資材に対応した工事完了を示すものとして取得される画像データ５を格納する画像データファイル８と、
前記画像データファイル８の画像データ５をクライアント端末からの要求に基づいて、工程データファイル７に格納される工程データ４の日程あるいは日程に振り分けられた資材に対して関連づける工程管理部９と、
実行予算データ１を参照して前記画像データ５に対応する資材の実行予算を出来高として集計する出来高演算部１０とを有してサーバを構成することにより達成される。
【０００７】
さらに、上記目的は、
ネットワークを通して相互に交信が可能なクライアント端末と出来高管理サーバとを含み、
前記クライアント端末は、建築工事に使用される資材毎の単位実行予算および単位作業時間を格納する記憶手段１１と、
資材およびその数量を入力する入力手段１２と、
撮影操作により画像データ５を生成する撮影手段１３と、
前記入力手段１２からの入力に基づいて記憶手段１１の単位実行予算を参照して実行予算データ１を作成するとともに、単位作業時間を参照して集計される作業時間を工事工程の日程に振り分けることにより工程データ４を作成し、かつ、該実行予算データ１を資材毎に対応する単位実行予算が検索可能な形態で、該工程データ４を工事工程の日程あるいは日程に振り分けられた作業時間に対応する資材が検索可能な形態で、出来高管理サーバに送信する第１の手段と、
前記撮影手段１３により撮影される資材に対応した工事完了を示す画像データ５を、工程データ４の日程あるいは日程に振り分けられた作業時間に対応する資材に対して関連づけて出来高管理サーバに送信する第２の手段とを有し、
前記出来高管理サーバは、クライアント端末から受信する工程データ４の工事工程の日程あるいは日程に振り分けられた単位作業時間に対応する資材について、実行予算データを参照して対応する実行予算が検索可能な形態で記憶する記憶手段２と、
クライアント端末から受信する画像データ５を前記工程データ４の日程、あるいは日程に振り分けられた作業時間に対応する資材に関連づけて記憶手段２に記憶させるとともに、該記憶手段２を検索して画像データ５に関連づけられた資材に対応する実行予算を集計し、出来高として算出する手段とを有してシステムを構成することにより達成される。
【発明の効果】
【０００８】
以上の説明から明らかなように、本発明によれば、出来高評価に関する情報の客観性が高く、建築を請け負う工務店等が出来高の量や質に関して正当な評価を受けることができるネットワークを利用した建築工事の出来高評価のためのプログラム、サーバ、およびシステムの提供をすることができるために、工務店等の健全な経営を図ることができる。
【発明を実施するための最良の形態】
【０００９】
図１（ａ）はネットワークを利用した建築工事の出来高評価のためのシステムの全体を示している。ネットワークは公衆回線網、インターネット等の既存のネットワークである。出来高管理サーバと画像管理サーバ、クライアントＡとクライアントａ１、ａ２・・・、およびクライアントＢとクライアントｂ１・・・は、ＬＡＮにより結ばれていても、物理的に単一のコンピュータ等によりそれぞれの機能を発揮するように構成されていてもいい。
【００１０】
この実施の形態において、上記出来高評価のためのシステムは、図１（ｂ）に示す取引システムの一部を構成する。この取引システムは、住宅建築の顧客である施主から管理本部が建築資金を代理受領することにより、施主と建築請負契約を結ぶ工務店に対して第３者である管理本部が、住宅の完成保証を施主に対して行うものである。例えば建設会社や不動産会社が管理本部を務め、この管理本部と上記出来高評価のためのシステムのリース契約を結ぶことにより、工務店は、該システムの会員となって建築資金を代理受領した管理本部から建築工事の出来高払いを受ける。
【００１１】
図１（ｂ）に示すように、会員工務店は、上記取引システムを説明した上で施主と建築請負契約を結び、材木店、サッシメーカ、システムキッチンメーカ等の資材メーカから仕入れる建築資材により、大工、電気屋、クロス（内装）屋等の協力業者を使用して、住宅建築を行う。住宅建築に際し、会員工務店は、所有するパーソナルコンピュータ（ＰＣ）を利用して上記出来高評価のためのシステムにより積算、施主に提出する見積の作成、実行予算の作成、および工程表の作成等を行い、見積データ、協力業者に対する工事代金や資材メーカに対する資材代金などの発注データ、実行予算データ、および工程データ等を建築請負データとして管理本部のサーバにネットワークを介して送信する。建築請負データを受信した管理本部のサーバは、ネットワークを介して施主が融資契約を結ぶ金融機関のサーバにアクセスし、見積金額に相当する建築請負代金をいわゆるインターネットバンキングを利用して施主から代理受領した上で、施主の所有するＰＣに対して会員工務店が請け負う住宅建築の完成保証を連絡する。なお、完成保証などに関する必要な書面手続きは別途改めて行われる。
【００１２】
また、管理本部のサーバは、資材メーカのサーバに対して、上記建築請負データの発注データに基づいて建築資材を発注する。一方、会員工務店は、協力業者に対し、上記発注データに基づいて工事代金の支払いをするための工事完了写真の撮影、送信を前提とする工事契約を結ぶ。この後、建築資材が現場に搬入され、工事工程が進行すると、協力業者は、携帯電話のカメラ機能を利用して作業が完了した現場の写真を撮影し、インターネット接続機能を利用して会員工務店のＰＣに画像データとして送信する。これを受け取った会員工務店のＰＣ管理者は、モニタによりその画像データがどこの工程のものであるか、作業内容が予定通りか、すなわち予定した作業内容を満たしているかを、例えば設計図などと比較することによって確認する。確認の上で問題がなければ、上記ＰＣ管理者は、管理本部のサーバに対し、対応する工程を指定して上記画像データを転送する。画像データの管理本部への送信は、ネットワーク上で運営される工事進歩状況ウェブサイトに掲載される工程表の各工程への画像データのアップロードによってなされ、管理本部のサーバは、工事進歩状況ウェブサイトの工程表の更新に対して上記工程データを連動させることにより、住宅建築工事の進捗状況を随時把握する。
【００１３】
この進捗状況に応じて、管理本部のサーバは、施主から建築請負代金として代理受領した金融機関の預金から、資材メーカおよび協力業者に対し、上記発注データに含まれる代金について出来高評価による出来高払いを行い、また、会員工務店に対しては、実行予算に含まれる労務費等の経費、および見積金額と実行予算の差額である粗利について、出来高評価による出来高払いを行う。出来高評価は、管理本部のサーバによりネットワーク上で運営される出来高評価ウェブサイトに反映され、会員工務店は、該ウェブサイトの更新データが転送されることにより、出来高払いの予定を把握することができる。
【００１４】
なお、図１（ｂ）における共済会とは、全ての会員工務店の協賛金により運営され、会員工務店が倒産した場合の以後の完成保証を代替履行する組織である。また、上記工事進捗状況ウェブサイトには、予め会員工務店向けの認証コードと施主向けの認証コードとが設定され、会員工務店は自己の認証コードを利用してネットワーク上のアドレス（ＵＲＬ：Ｕｎｉｆｏｒｍ  Ｒｅｓｏｕｒｃｅ  Ｌｏｃａｔｏｒ）を用いてウェブサイトにアクセスするとともに画像データをアップロードし、施主は自己の認証コードを利用してネットワーク上のアドレスを用いてウェブサイトにアクセスするとともに工事の進捗状況を上記画像データにより随時把握する。さらに、以上においてはウェブサイトに写真、すなわち静止画像を掲載する場合を述べたが、動画を掲載してもよい。
【００１５】
上述した出来高評価のためのシステムは、この実施の形態においては、主に住宅建築の作業の大半を占める木工工事に適用される。図１（ａ）に示すように、上記会員工務店のＰＣがクライアントＡ、Ｂ・・・として、また協力業者である大工の携帯電話がクライアントａ１、ａ２・・・、ｂ１・・・としてクライアント端末を構成し、一方、管理本部のサーバが出来高管理サーバとして、また工事進捗状況ウェブサイトを運営するサーバが画像管理サーバとしてサーバ・コンピュータを構成することにより形成される。なお、図１（ａ）において、上記クライアント端末およびサーバと同じネットワーク上に接続される発注関係先サーバＡ、Ｂ・・・は資材メーカのサーバであり、融資関係先サーバは金融機関のサーバである。
【００１６】
会員工務店のＰＣは、キーボードやマウス、ディスクドライブ等からなる入力手段１２と、各種演算結果その他の索出データを外部に出力する出力手段２０と、液晶モニタ等の表示手段２１と、プリンタ等の印刷手段２２と、記憶手段１１と、演算手段２３とを有する。上記入力手段１２および出力手段２０は、ネットワークを通したデータの交信を可能にするインターフェイスとしても機能するもので、前述した各サーバではＷｅｂサーバプログラムが動作し、このＰＣではＷｅｂブラウザプログラムが動作する。この会員工務店のＰＣには管理本部のサーバにインストールされるプログラムのサブセットがインストールされ、上記記憶手段１１、演算手段２３が構築される。
【００１７】
図２に示すように、記憶手段１１には、資材マスタファイル２４、数量データファイル２５、積算単価データベース（積算単価ＤＢ）２６、作業時間データベース（作業時間ＤＢ）３、メーカ・業者ファイル２７、実行予算単価データベース（実行予算単価ＤＢ）２８、仕入メーカファイル２９、経費データファイル３０、手順データファイル３１、資材手順データファイル３２、集計時間データファイル３３、画像データファイル８’、実行予算データ１、発注データ３４、日程データファイル３５、見積データ３６、およびインターネット上の工事進捗状況ウェブサイトへのアクセスを可能にする認証データ３７が記憶される。
【００１８】
資材マスタファイル２４は、全建築資材を個々に特定する呼び名を格納するもので、例えば、構造材-赤松集成材-梁-１０５ｍｍ×１０５ｍｍ×３，０００ｍｍ（特一等）など、基礎材、外装材、あるいは構造材などの種類、材種、用途、寸法などの関連情報により各資材を特定する。また、各資材には「０００１」、「０００２」などのＩＤコードが割り当てられる。
【００１９】
数量データファイル２５には、住宅建築に必要な資材の数量が資材毎に上記ＩＤコードと一対一対応して格納される。この数量は、建築用ＣＡＤシステムにより作成された設計データから、演算手段２３の資材量抽出部３８による上記資材マスタファイル２４を用いた演算処理によって抽出され、例えばＣＡＤデータに含まれる資材の呼び名に併記される数量を取得することにより作成される。積算単価ＤＢ２６は、住宅建築に必要な資材の積算単価が資材毎に上記ＩＤコードと一対一対応して格納される。積算単価は例えば積算資料に基づいて設定される。作業時間ＤＢ３には、住宅建築に必要な資材の施工作業に要する時間が資材毎に上記ＩＤコードと一対一対応して格納される。この時間は、過去の実績、経験に基づいて、その平均値が設定される。
【００２０】
メーカ・業者ファイル２７には、取引のある資材メーカや大工等が、その名称や氏名、住所、メールアドレスなどの連絡に必要なＩＤ情報により特定されて格納される。また、各メーカ等には適宜のＩＤコードが割り当てられる。このメーカ・業者ファイル２７には、工務店のオペレータがキーボード等１２により入力することで、資材メーカや大工等を追加登録して格納することも可能である。
【００２１】
実行予算単価ＤＢ２８には、上記資材メーカの見積金額と大工作業の一般的な手間賃と労務費等の経費の合計金額が、資材毎に、上述した資材マスタファイル２４の各資材のＩＤコードと一対一対応して格納される。この大工工事の一般的な手間賃は、例えば上記作業時間ＤＢ３の資材毎の作業時間と所定の数字の積をとることにより、すなわち作業時間に対応する所定の時給を当てはめることにより決定することが可能である。
【００２２】
建築資材メーカの資材毎の見積金額は、仕入れメーカファイル２９において、資材マスタファイル２４の各資材のＩＤコードと一対一対応して格納される。例えば資材０００１は資材メーカＡから１，０００円でというように記憶される。この仕入れメーカファイル２９も、前述したメーカ・業者ファイル２７同様にキーボード等１２からの入力による追加登録を格納することが可能である。
【００２３】
また、経費データファイル３０には、上記労務費等の経費が、資材毎に、資材マスタファイル２４の各資材のＩＤコードと一対一対応して格納される。この経費は、例えば積算単価ＤＢ２６の積算単価に対して予め所定の率を設定することなどにより決定することが可能である。
【００２４】
したがって、上記実行予算単価ＤＢ２８における金額は、上記作業時間ＤＢ３の資材毎の作業時間から演算できる大工工事の手間賃と、資材毎に対応する仕入れメーカファイル２９の見積金額と、資材毎に対応する経費データファイル３０の経費との和を演算手段２３の価格演算部３９により求めることによって資材毎に算出される。
【００２５】
手順データファイル３１は、資材毎の作業の手順、すなわち順番を格納するもので、例えば、屋根工事、外壁工事などの作業が建築工程に沿って記憶される。各作業には適宜のＩＤコードが割り当てられる。資材手順データファイル３２には、上記資材マスタファイル２４の資材毎に一対一対応して、建築工事の手順を示す順番が格納される。この順番は上記手順データファイル３１の作業に対応して設定されるもので、例えば屋根工事に使用される資材が複数ある場合には、これらの複数の資材に同一の順番が付与される。この順番は、工務店のオペレータによるキーボード等１２からの入力によって変更することも可能である。
【００２６】
集計時間データファイル３３には、演算手段２３の工程演算部４０により、資材マスタファイル２４の各資材のＩＤコードをキーとして数量データファイル２５と作業時間ＤＢ３により演算される資材毎の作業時間を、資材手順データファイル３２の手順に沿ってソートし、その作業時間の累計を所定時間に割り振りることにより生成される所定時間毎の資材の集計時間の束を、上記手順データファイル３１の作業に一対一対応して格納するものである。この所定時間としては、１日当たりの作業時間である８時間などに設定することが望ましい。したがって、資材毎の「数量×単位作業時間」である作業時間が、作業手順毎に集計され、累計８時間になるまで、資材毎に累積されていくことで、例えば、１番目の８時間には、単位作業時間１時間の資材０００１が４個と、単位作業時間２時間の資材０００２が２個とが、作業ａに対応して設定され、２番目の８時間には、単位作業時間２時間の資材０００３、１個が作業ｂに対応して、さらに、単位作業時間３時間の資材０００４、２個が作業ｃに対応して設定され、というように順次資材がなくなるまで複数の８時間毎の集計時間データファイル３３が生成される。
【００２７】
画像データファイル８は、大工の携帯電話から受信する画像データ５を格納するもので、ネットワークを通して大工の携帯電話から送信される画像データ５”に対する工務店のＰＣ管理者の格納操作に際し、適宜のＩＤコードが割り当てられて画像データ５として保存される。ＩＤコードの付与は演算手段２３により自動で行うことが可能である。
【００２８】
実行予算データ１は、実行予算単価ＤＢ２８における実行予算単価と数量データファイル２５の数量を、資材マスタファイル２４の各資材のＩＤコードをキーとして一対一対応させて作成され、また、価格演算部３９により各資材に対応する積が求められて資材毎の実行予算が生成された後、合計されて総額の実行予算が算出される。
【００２９】
発注データ３４は、仕入れメーカファイル２９の見積金額と数量データファイル２５の数量を、資材マスタファイル２４の各資材のＩＤコードをキーとして一対一対応させてメーカ業者ファイル２７に格納される資材メーカ毎に集計されて複数作成される。上記実行予算データ１と同様に、価格演算部３９により各資材に対応する見積金額と数量の積が求められた後、資材メーカ毎に振り分けられて合計され、資材メーカ毎に対応する総発注価格が算出される。また、この発注データ３４としては発注書のひな形も記憶されており、演算手段２３の進行部４１によってひな形を利用して各発注先向けにプリンタ２２を利用して発注書を作成することができる。
【００３０】
日程データファイル３５は、日程を格納するもので、ＰＣに搭載されるカレンダ機能を利用してカレンダに沿った各日程に適宜のＩＤコードが割り当てられる。日程の設定は、工務店のオペレータによりキーボード等１２への入力によって調整することが可能である。
【００３１】
見積データ３６は、施主に提示する見積書、見積明細を作成するための見積内容情報であり、価格演算部３９により積算単価ＤＢ２６の各積算単価と所定の利益率の積が求められた後、資材マスタファイル２４の各資材のＩＤコードをキーとして、この積を数量データファイル２５の数量に一対一対応させて作成される。また、この見積データ３６には見積書、見積明細のひな形も格納されており、演算手段２３の積算部４２により、プリンタ２２を利用して、上記ひな形を使って、施主向けに見積書、見積明細を作成することができる。
【００３２】
一方、演算手段２３は、上述した資材量抽出部３８、価格演算部３９、積算部４２、工程演算部４０、および進行部４１の他に、更新管理部４３を備える。この更新管理部４３は、大工の携帯電話からネットワークを通して入力手段１２を介して受信され、ＰＣ管理者の操作により適宜のＩＤコードの割り当てされた画像データ５を、画像データファイル８に格納するとともに、出力手段２０を介して工事進歩状況ウェブサイトに転送する。格納に際して個々に生成される画像データファイル８には、ＰＣ管理者の操作により、更新管理部４３によって、日程データファイル３５の特定の日程に対応する適宜のＩＤコードや、手順データファイル３１の特定の作業に対応する適宜のＩＤコードが付与される。
【００３３】
したがって、工務店のＰＣは、オペレータの操作により、例えばＣＡＤデータがディスクドライブを通じて読み込まれると、資材マスタファイル２４を参照してＣＡＤデータに含まれる資材毎の数量により、数量データファイル２５、集計時間データファイル３３、実行予算データ１、発注データ３４、見積データ３６を作成し、また、オペレータからの指示があれば、発注データ３４や見積データ３６をプリンタに出力し、見積書や発注書を印刷させる。また、オペレータからの指示があれば、各データファイルのデータを液晶モニタに表示させ、あるいは出力手段２０により、ネットワークを通して、数量データファイル２５等に含まれる出来高管理サーバのデータに対するいわゆる差分データを出来高管理サーバに対して送信等する。
【００３４】
一方、大工のカメラ付き携帯電話は、市販されるものであり、ボタン等の入力手段１２”と、演算手段２３’のＷｅｂブラウザプログラムの動作によるインターネット接続機能により画像データ５”その他の索出データをネットワークに出力する出力手段２０”と、液晶表示部からなる表示手段２１”と、カメラ機能により画像データ５”を記録可能な撮影手段１３、この画像データ５”を格納する画像データファイル８”を備える記憶手段１１’と、上述した演算手段２３’とを有する。なお、図２（ｂ）における認証データファイル４４は、必要に応じて工事進歩状況ウェブサイトへのアクセスのため、あるいは会員工務店のＰＣへのアクセスのための認証データ３７’、３７”等を格納するものである。
【００３５】
一方、出来高管理サーバは、図３（ａ）に示すように、上記会員工務店のＰＣの各種手段におけるファイル等に加えて、演算手段４５に発注管理部４６、前記工務店のＰＣにおける更新管理部４３の機能を含む工程管理部９、出来高演算部１０、および管理用データ作成部４７を有する。なお、上記会員工務店のＰＣの各種手段におけるファイル等と同一のデータ構成のファイル等は、図３において対応する符号を付して説明を省略する。
【００３６】
発注管理部４６は、オペレータのキーボード等１２’からの入力に基づいて、ネットワークを通して、資材メーカのサーバに対して、発注書として加工した発注データ３４‘を送信する。工程管理部９は、工事進歩状況ウェブサイトの更新情報を逐次ネットワークを介して画像管理サーバに確認するもので、画像データ５の更新、追加が検知されるとこれを取得し、画像データファイル８として記憶手段２に格納する。
【００３７】
出来高演算部１０は、画像データファイル８の格納を検知すると、該画像データファイル８の画像データ５’が関連づけられた日程データファイル３５’の日程、あるいは手順データファイル３１’の作業を検索し、資材手順データファイル３２’、集計時間データファイル３３’、資材マスタファイル２４’や数量データファイル２５’、実行予算単価ＤＢ２８’、仕入れメーカファイル２９’等を参照して実行予算や日程の出来高を演算し、金額出来高データ４８や日程出来高データ４９として演算結果を記憶手段２に格納させる。この金額出来高データ４８等は、その作成日とともに資材、作業、日程、資材メーカあるいは大工等の名称、画像などの特定のＩＤコードを指定して累積的に複数作成される。なお、ネットワークを通した融資関係先サーバへの出来高の支払い指示の送信は、別途オペレータによる入力手段１２’への命令に基づいて、例えば１ヶ月単位にまとめれられて、進行部４１’によって行われる。これと同時にまた、進行部４１’は、前記金額出来高データ４８を出力手段２０’によりネットワークを通して出来高評価ウェブサイトに掲載する。
【００３８】
出来高評価ウェブサイトは、進行部４１’によって運営され、管理用データ５０に格納される所定の工程表のひな形に対して、資材マスタファイル２４’、数量データファイル２５’、仕入れメーカファイル２９’、経費データファイル３０’、日程データファイル３５’、資材手順データファイル３２’、手順データファイル３１’、画像データファイル８等を利用してデータを書き込むことにより生成される工程表を掲載する。この工程表における各工程（作業）には、特定の資材、日程、資材メーカあるいは大工等の名称、画像、さらに細分化された工程（作業）等に対応する特定のＩＤコードを保有したポイントが形成される。
【００３９】
進行部４１’は、例えば、ネットワークを通して出来高評価ウェブサイトにアクセスした会員工務店からの上記ポイントにおける資材の数量等を含めた照会要求を受信すると、上記ポイントのＩＤコードに基づいて、要求される資材数量等を検索し、当該数量データを表示するＨＴＭＬファイルを作成して施主に送信する。会員工務店のＰＣは、受信したＨＴＭＬファイルに基づいて、液晶モニタ２１により、上記資材数量等を含む各工程の内容を表示する。
【００４０】
また、管理用データ作成部４７は、上記支払い指示の送信を検知すると、管理用データ５０を作成する。管理用データ５０は、金額出来高データ４８に一対一対応して作成され、管理本部は、オペレータによる入力手段１２’からの指示によってこれを液晶モニタ２１’に表示させ、あるいはプリンタ２２’によって印刷させることで、出来高の支払い状況を確認することができる。
【００４１】
なお、出来高管理サーバの進行部４１’は、ネットワークを通して工務店のＰＣから数量データファイル２５、実行予算単価ＤＢ２８、仕入れメーカファイル２９等の差分データを受信すると、会員工務店の建築工事毎に適宜のＩＤコードを作成し、このＩＤコードとともに前記数量データファイル２５等を格納する。したがって、図３（ａ）に示すように、出来高管理サーバも会員工務店毎に対応して、そこのＰＣに記憶されるものと同じデータ構造の数量データファイル２５’等を保有する。
【００４２】
画像管理サーバは、図３（ｂ）に示すように、会員工務店からネットワークを通して画像データファイル８を受信する入力手段５１と、この画像データファイル８や上記会員工務店の記憶手段１１に格納される手順データファイル３１、日程データファイル３５等を記憶する記憶手段５２と、上記出来高管理サーバに画像データファイル８をネットワークを介して送信する出力手段５３と、これらの記憶、出力等を制御する演算手段５４とを有する。この演算手段５４はまた、工事進捗状況ウェブサイトの管理、運営も行っており、会員工務店の工程表を掲載し、この工程表の各作業に特定の画像データ５等のＩＤコードをリンクさせる。
【００４３】
すなわち、演算手段５４は、工事進捗状況ウェブサイトにアクセスした施主からの各作業の照会要求をネットワークを通して入力手段５１により受信すると、画像データ５を含む工程表の当該作業の照会用の画面を生成するＨＴＭＬファイルを作成して出力手段５３により施主に送信する。施主のＰＣは、受信したＨＴＭＬファイルに基づいて、液晶モニタにより、画像データ５を含む各作業の内容を表示する。
【００４４】
以上の上記出来高評価のためのシステムにおいて、会員工務店のＰＣは、図４に示すようにデータを加工、保存し、出来高管理サーバとのネットワークを通した交信を図る。図４に示すように、会員工務店のＰＣ管理者等により作成され、ＰＣに記憶されるＣＡＤデータは、キーボード等１２を介したＰＣ管理者からの資材量抽出演算部３８による演算命令により、資材マスタファイル２４を参照して各数量データが抽出され、資材毎に対応した数量データとして数量データファイル２５に格納される。また、積算部４２は、この数量データに対して資材毎に積算単価ＤＢ２６の積をとり、積算を行う（積算ステップ）。なお、オペレータによるキーボード等１２からの入力操作により、プリンタ２２に積算結果を出力して見積として印刷を行ったり、あるいは、積算に際して資材毎に適宜の率を付加して演算する、すなわち積算単価に対して一定の率の作業費用を別途付加することにより積算を行うことも可能である。
【００４５】
次いで、上記数量データに基づいて、価格演算部３９により、実行予算単価ＤＢ２８を参照して実行予算データ１が生成されるとともに、仕入れメーカファイル２９を参照して資材メーカ毎の発注データ３４が生成される。形成された実行予算データ１や発注データ３４は、見積データ３６、数量データファイル２５や仕入れメーカファイル２９等とともに進行部４１により出力手段２０を介して出来高管理サーバに送信される。（実行予算・発注書作成ステップ）。この場合において、形成された実行予算に対して一定の利益率を別途付加することにより再度、見積を作成することも可能である。また、オペレータによるキーボード等１２からの入力操作により、形成された発注データ３４や実行予算データ１をプリンタ２２に出力して発注書、実行予算書、あるいはメーカ・業者ファイル２７を参照して見積書を印刷することも可能である。
【００４６】
この後また、数量データを参照して、工程演算部４０により、作業時間ＤＢ３を用いて資材毎の作業時間が演算され、さらに、手順データファイル３１や資材手順データファイル３２等を参照して、集計時間データファイル３３が作成される。形成された集計時間データファイル３３は、日程データファイル３５等とともに進行部４１により出力手段２０を介して工程データ４として出来高管理サーバに送信される（工程管理ステップ）。なお、オペレータによるキーボード等１２からの入力操作により、形成された集計時間データファイル３３を利用し、手順データファイル３１等を参照して、プリンタ２２に工程表を印刷することも可能である。また、メーカ・業者ファイル２７や仕入れメーカファイル２９を参照して、上記工程表を含む業者連絡表を印刷することも可能である。
【００４７】
図４において下方に示される工程管理ステップは、大工の携帯電話から送信される画像データ５”を入力手段１２により受信し、オペレータによるキーボード等１２からの入力操作によって画像データ５の撮影日や工程表の日程等に関する情報を付加した上で、出力手段２０により工事進捗状況ウェブサイトに対して送信するものである。上記画像データ５は、オペレータにより上記情報を付加されて画像データファイル８に格納され、また画像データファイル８の差分データとして進捗状況ウェブサイトに送信される。一方、出来高管理サーバにおいては、工事進捗状況ウェブサイトにおける上記画像データファイル８の受信を検知すると、これを工事進捗状況ウェブサイトから取得し、所定形式の画像受信確認の連絡を生成して会員工務店のＰＣに対して送信する。これにより会員工務店のＰＣは、画像受信確認の連絡を入力手段１２によって受信する。
【００４８】
これに対し、出来高管理サーバは、図５に示すように、上記会員工務店のＰＣから送信される実行予算データ１や発注データ３４等の差分データを受信し、会員工務店の建築工事毎に適宜のＩＤコードを作成、対応させてこれを保存する（ステップＳ１）。また、上記会員工務店のＰＣから送信される集計時間データファイル３３等の差分データ（工程データ４を含む工程データファイル７）を受信し、上記と同じＩＤコードを付与してこれを保存する（ステップＳ２）。
【００４９】
この後、さらに会員工務店から送信される上記画像データファイル８’（進捗データ６）を工事進捗状況ウェブサイトを介して受信すると、画像データファイル８’の工程表における日程情報等に基づいて、日程による出来高演算処理を行い、生成された日程出来高データ４９を記憶手段２に格納する。また、上記受信した集計時間データファイル３３や数量データファイル２５の差分データを利用するとともに、予め記憶手段２に格納される資材マスタファイル２４’等を参照して、出来高による支払い演算集計処理を行い、生成された金額出来高データ４８を記憶手段２に格納する（ステップＳ３）。さらに、管理用データ作成部４７により管理用データ５０が作成され、記憶手段２に格納される。なお、オペレータによるキーボード等１２’からの入力操作により、形成された日程出来高データ４９、金額出来高データ４８、および管理用データ５０をプリンタ２２’に出力し、印刷することも可能である。
【００５０】
上記管理用データ作成部４７は、実行予算データ１’や発注データ３４’に基づいて会員工務店の出来高、大工の工事代金、および資材メーカの資材代金を割り振り、出来高払い、工事代金の支払い、資材代金の支払い指示として管理用データ５０に記録する。この指示はこの後オペレータにより上記画像データ５’等が確認された上でキーボード等１２’によって入力される命令によって、出力手段２０’により融資関係先サーバに送信され、また、出来高評価ウェブサイトに掲載されて更新データとして会員工務店のＰＣ、大工の携帯、資材メーカのサーバに転送される。なお、図５に示すように、会員工務店のＰＣに対し、出来高管理サーバから逐次画像データ５の更新状況を確認することにより、会員工務店の出来高評価を迅速に行うことができる。
【００５１】
これにより、会員工務店や協力業者、資材メーカは、管理本部に直接赴くことなく出来高払いを受けることができ、一方、管理本部は、画像データ５の受信によって確認のために現場に直接赴くことなく出来高評価、出来高払いを進めることができる。この出来高払いはまた、管理本部のサーバに、対応する画像データ５’や作業を明らかにした状態で保存されるために、その支払い根拠を明確に保存しておくことで、支払いに関して生じる可能性のある事後の争いを未然に防止することができる。
【００５２】
なお、図６および図７に以上の出来高評価のためのシステムにおける会員工務店のＰＣや出来高管理サーバにおけるフローの一例を示す。図６に示すように、会員工務店のＰＣへの仕入メーカファイル２９や日程データファイル３５等への入力は、メニューバーのテンプレートを選択することにより容易にすることができる。また、画像データ５の登録、すなわち画像データファイル８’の作成や進捗状況ウェブサイトへの送信等の処理も、順次液晶モニタ１２に表示される指示に従って進めることができる。
【００５３】
また、図７に示すように、出来高管理サーバにおいてイベントボタンによる出来高の集計処理を設けることは、締日、すなわち月単位の集計をする上で有用であり、この場、締日としては例えば月末を設定することができる。
【００５４】
なお、以上においては、画像データ５を会員工務店のＰＣを介して管理本部のサーバに送信する場合を示したが、図８に示すように協力業者から直接送信させて会員工務店の手間を省くこともできる。また、図８に示すように、共済会を形成しないで取引システムを構築したり、協力業者の工事代金や資材メーカの資材代金について出来高払いを受けた会員工務店から支払いをするように構成したり、工事進捗状況ウェブサイトと出来高評価ウェブサイトを一つのホームページによって構築することもできる。
【００５５】
さらに、以上の実施の形態においては、会員工務店から協力業者に工事を発注する場合を示したが、会員工務店から建築請負データを受領した管理本部のサーバから発注してもよい。また、管理本部のサーバによって、画像データファイル８の受信に連動して、会員工務店や大工に対し、画像データファイル８の受理メールを送信するように構成こともできる。この場合において、管理本部のサーバにおいて、画像データファイル８に対応する日程・作業に対して、工程表の次工程の日程・作業に含まれる資材に対応する協力業者や資材メーカを検索し、これらの携帯電話やサーバに対して、作業の連絡等を自動送信するように構成することもできる。
【図面の簡単な説明】
【００５６】
【図１】本発明を示す図で、（ａ）はネットワークを利用した建築工事の出来高評価のためのシステムを示す図、（ｂ）は全体システムを示す図である。
【図２】クライアント端末を示すブロック図で、（ａ）は会員工務店のＰＣ、（ｂ）は協力会社の携帯電話である。
【図３】サーバを示すブロック図で、（ａ）は出来高管理サーバ、（ｂ）は画像管理サーバである。
【図４】会員工務店のＰＣのフローチャートである。
【図５】出来高管理サーバのフローチャートである。
【図６】会員工務店のＰＣの詳細フローチャートである。
【図７】出来高管理サーバの詳細フローチャートである。
【図８】本発明の他の実施の形態のシステムを示す図である。
【符号の説明】
【００５７】
１    実行予算データ
２    記憶手段
３    作業時間データベース
４    工程データ
５    画像データ
６    進捗データ
７    工程データファイル
８    画像データファイル
９    工程管理部
１０    出来高演算部
１１    記憶手段
１２    入力手段
１３    撮影手段
Ｓ１    ステップ
Ｓ２    ステップ
Ｓ３    ステップ
【図１】
2005293182.tif 000003
【図２】
2005293182.tif 000004
【図３】
2005293182.tif 000005
【図４】
2005293182.tif 000006
【図５】
2005293182.tif 000007
【図６】
2005293182.tif 000008
【図７】
2005293182.tif 000009
【図８】
2005293182.tif 000010